(57)【要約】 【課題】電子機器の組み立て作業性を向上させる。【解決手段】実施形態によれば、テレビジョン受像機は、筐体と、表示部と、フレキシブルプリント配線板と、コネクタと、を備える。前記フレキシブルプリント配線板は、貫通部が形成される。前記コネクタは、前記貫通部に嵌合されるガイドピンを有し、前記フレキシブルプリント配線板が挿入される。前記フレキシブルプリント配線板は、絶縁層と、前記絶縁層上の一部に、前記貫通部を避けて設けられる導電層と、を有する。前記貫通部は、前記絶縁層を貫通する、スリットおよび穴が結合した形状であり、前記フレキシブルプリント基板の挿入方向に略直交する方向の、前記スリットの幅より前記穴の幅が大きい。前記コネクタのガイドピンは、前記穴に嵌合される第１の突起部と、前記第１の突起部上に設けられ、前記スリットに嵌合される第２の突起部と、を有する。  【選択図】図４
2013102343.tif 000002
【特許請求の範囲】
【請求項１】
筐体と、
前記筐体内に収容される表示部と、
前記筐体および前記表示部の内側に設けられ、貫通部が形成されたフレキシブルプリント配線板と、
前記貫通部に嵌合されるガイドピンを有し、前記フレキシブルプリント配線板が挿入されるコネクタと、を備え、
前記フレキシブルプリント配線板は、
絶縁層と、
前記絶縁層上の一部に、前記貫通部を避けて設けられる導電層と、を有し、
前記貫通部は、前記絶縁層を貫通する、スリットおよび穴が結合した形状であり、
前記フレキシブルプリント基板の挿入方向に略直交する方向の、前記スリットの幅より前記穴の幅が大きく、
前記コネクタのガイドピンは、
前記穴に嵌合される第１の突起部と、
前記第１の突起部上に設けられ、前記スリットに嵌合される第２の突起部と、を有するテレビジョン受像機。
【請求項２】
前記フレキシブルプリント配線板の一端が挿入される第１のコネクタが設けられる第１の電子部品と、
前記フレキシブルプリント配線板の他端が挿入される第２のコネクタが設けられ、前記フレキシブルプリント配線板を介して、前記第１の電子部品と信号を送受信する第２の電子部品と、を備える請求項１に記載のテレビジョン受像機。
【請求項３】
前記第１の電子部品上に設けられる電子デバイスと、
前記第２の電子部品上に設けられる外部コネクタと、を備え、
前記電子デバイスは、前記第１のコネクタ、前記フレキシブルプリント配線板、前記第２のコネクタおよび前記外部コネクタを介して、外部機器と信号を送受信する請求項２に記載のテレビジョン受像機。
【請求項４】
第１の支持面に前記第１の電子部品が設けられ、前記第１の支持面とは反対側の第２の支持面に前記第２の電子部品が設けられたミドルフレームを備える請求項２に記載のテレビジョン受像機。
【請求項５】
前記フレキシブルプリント配線板は、少なくとも１か所で折り曲げて配置される請求項１に記載のテレビジョン受像機。
【請求項６】
前記第１の突起部の幅は、前記穴の幅と略等しい請求項１に記載のテレビジョン受像機。
【請求項７】
前記第１の突起部の幅は、前記スリットの幅より大きい請求項１に記載のテレビジョン受像機。
【請求項８】
前記第２の突起部の幅は、前記スリットの幅と略等しい請求項１に記載のテレビジョン受像機。
【請求項９】
前記第１の突起部の高さは、前記フレキシブルプリント配線板の厚さより大きい請求項１に記載のテレビジョン受像機。
【請求項１０】
前記第２の突起部の高さは、前記フレキシブルプリント配線板の厚さより大きい請求項１に記載のテレビジョン受像機。
【請求項１１】
前記コネクタは、
前記第１の突起部が設けられるベースと、
前記ベース側に開口部が形成されたハウジングと、
前記ハウジング内に設けられ、前記フレキシブルプリント配線板の導電層と接続されるピンと、を有する請求項１に記載のテレビジョン受像機。
【請求項１２】
前記開口部と前記第１の突起部との距離は、前記フレキシブルプリント配線板の端部と前記スリットの端部との距離と略等しい請求項１１に記載のテレビジョン受像機。
【請求項１３】
前記ピンの端部と前記開口部との距離は、前記スリットの端部と前記穴との距離より小さい請求項１１に記載のテレビジョン受像機。
【請求項１４】
前記開口部と対向する前記ハウジングの背面と前記開口部との距離は、前記スリットの端部と前記穴との距離以上である請求項１１に記載のテレビジョン受像機。
【請求項１５】
貫通部が形成されたフレキシブルプリント配線板と、
前記フレキシブルプリント配線板の少なくとも一部を収納する筐体と、を備え、
前記フレキシブルプリント配線板は、
絶縁層と、
前記絶縁層上の一部に、前記貫通部を避けて設けられた導電層と、を有し、
前記貫通部は、前記絶縁層を貫通する、スリットおよび前記スリットの幅より大きな穴が結合した形状である電子機器。
【発明の詳細な説明】
【技術分野】
【０００１】
本発明の実施形態は、テレビジョン受像機および電子機器に関する。
【背景技術】
【０００２】
電子機器では、電子部品同士を電気的に接続して電気信号を伝送するために、フレキシブルプリント配線板（Flexible Printed Circuit、以下ＦＰＣと呼ぶ）が用いられることがある。しかしながら、ＦＰＣがコネクタに十分挿入されなかったり、作業途中でコネクタから外れたりしてしまうことがある。
【先行技術文献】
【特許文献】
【０００３】
【特許文献１】特開２００５−３２７６１２号公報
【発明の概要】
【発明が解決しようとする課題】
【０００４】
電子機器の組み立て作業性を向上させる。
【課題を解決するための手段】
【０００５】
実施形態によれば、テレビジョン受像機は、筐体と、表示部と、フレキシブルプリント配線板と、コネクタと、を備える。前記表示部は、前記筐体内に収容される。前記フレキシブルプリント配線板は、前記筐体および前記表示部の内側に設けられ、貫通部が形成される。前記コネクタは、前記貫通部に嵌合されるガイドピンを有し、前記フレキシブルプリント配線板が挿入される。前記フレキシブルプリント配線板は、絶縁層と、前記絶縁層上の一部に、前記貫通部を避けて設けられる導電層と、を有する。前記貫通部は、前記絶縁層を貫通する、スリットおよび穴が結合した形状であり、前記フレキシブルプリント基板の挿入方向に略直交する方向の、前記スリットの幅より前記穴の幅が大きい。前記コネクタのガイドピンは、前記穴に嵌合される第１の突起部と、前記第１の突起部上に設けられ、前記スリットに嵌合される第２の突起部と、を有する。
【図面の簡単な説明】
【０００６】
【図１】テレビジョン受像機１０の外観を示す正面図。
【図２】図１のテレビジョン受像機１０の構造を示す断面図。
【図３】一実施形態に係るテレビジョン受像機１０の概略構成を示すブロック図。
【図４】一実施形態に係るＦＰＣ１５の斜視図。
【図５】一実施形態に係るＦＰＣ１５の上面図。
【図６】一実施形態に係るコネクタ１３の斜視図。
【図７】一実施形態に係るコネクタ１３の上面図。
【図８】一実施形態に係るコネクタ１３の正面図。
【図９】ＦＰＣ１５をコネクタ１３に挿入する手順を示す図。
【図１０】図７に引き続く、ＦＰＣ１５をコネクタ１３に挿入する手順を示す図。
【図１１】図８に引き続く、ＦＰＣ１５をコネクタ１３に挿入する手順を示す図。
【図１２】水平方向におけるＦＰＣ１５およびコネクタ１３の各部の寸法の一例を示す図。
【図１３】垂直方向におけるＦＰＣ１５およびコネクタ１３の各部の寸法の一例を示す図。
【図１４】ノートブック型パーソナルコンピュータ１０’の外観を示す斜視図。
【図１５】図１４のパーソナルコンピュータ１０’の内部構造を示す斜視図。
【図１６】パーソナルコンピュータ１０’に用いられるＦＰＣ１５、コネクタ１３，１４の正面図。
【発明を実施するための形態】
【０００７】
以下、実施形態について、図面を参照しながら具体的に説明する。
【０００８】
（第１の実施形態）
図１は、第１の実施形態に係るテレビジョン受像機１０の外観を示す正面図である。図１のテレビジョン受像機１０は、本体部（表示部）１０１と、脚部（スタンド、支持部、支部、台部）１０２とを備えている。
【０００９】
本体部１０１は、筐体（覆部材、組合せ部材、部材、構成部品）１０３と、筐体１０３内に収容された表示装置（表示モジュール、表示ユニット、電子部品）１０４と、筐体１０３のフロント面に設けられた電源ボタン１０５およびリモコンセンサ１０６とを備えている。表示装置１０４は、筐体１０３のフロント面（前面、表示画面側）に露出した表示画面１０４ａを有している。表示画面１０４ａのＯＮ／ＯＦＦ操作は、電源ボタン１０５の押下や、リモコンの前部をリモコンセンサ１０６の方向に向けた状態でリモコンの電源ボタンを押下することで行うことが可能である。
【００１０】
筐体１０３は、第１から第４の端部（辺部、周部、周縁部、側部、壁、面、）１１１〜１１４を有する。第１の端部１１１は、脚部１０２が取り付けられた（底面、底壁、支持面、支持部、周壁）端部である。第２の端部（天板、上壁、壁、面、周壁）１１２は、第１の端部１１１の反対側に位置し、第１の端部１１１と略平行に延びている。また、第３の端部（側部、側面、側壁、周壁）１１３は、第１の端部１１１と第２の端部１１２とを繋ぐ端部であり、第１の端部１１１と略垂直な方向に延びている。第４の端部（側部、側面、側壁、周壁）１１４は、第３の端部１１３の反対側に位置し、第３の端部１１３と略平行に延びている。第４の端部１１４は、第３の端部１１３と同様、第１の端部１１１と第２の端部１１２とを繋いでいる。
【００１１】
第１および第２の端部１１１，１１２は、筐体１０３の長手方向に延びる端部である。一方、第３および第４の端部１１３，１１４は、筐体１０３の短手方向に延びる端部であり、第１および第２の端部１１１，１１２よりも短い。
【００１２】
脚部１０２が本体部１０１を支えている場合、第１から第４の端部１１１〜１１４はそれぞれ、筐体１０３の下端部、上端部、左端部、右端部となる。図１では、第１および第２の端部１１１，１１２は、水平方向に略平行であり、第３および第４の端部１１３，１１４は、垂直方向に略平行である。
【００１３】
なお、本実施形態では、筐体１０３は、４つの端部１１１〜１１４を有しているが、筐体１０３の端部の個数は、３つ以下や５つ以上でもよい。また、第１の端部１１１と第２の端部１１２は、非平行に延びていてもよく、同様に、第３の端部１１３と第４の端部１１４は、非平行に延びていてもよい。
【００１４】
図２は、図１のテレビジョン受像機１０の構造を示す断面図である。図２に示すように、筐体１０３は、フロント面（第１の面、第１壁、壁、マスク）１１５と、バック面（第２の面、第２壁、壁、カバー）１１６と、周面（第３の面、第３壁、壁、マスクの一部又はカバーの一部、マスクとカバーに亘る部分）１１７とを有する。フロント面１１５は、表示画面１０４ａが露出した面である。バック面１１６は、フロント面１１５の反対側に位置する。また、周面１１７は、フロント面１１５の周縁部とバック面１１６の周縁部とを繋ぐ面である。
【００１５】
なお、本実施形態では、筐体１０３は、フロント面１１５と、バック面１１６と、周面１１７とを有する面構造を有しているが、筐体１０３は、上記以外の面構造を有していてもよい。
【００１６】
図２に示すように、本体部１０１はさらに、筐体１０３内に収容されたミドルフレーム（筐体、支持部、支持面、支持壁、部品載置部、枠、中間部材、骨部材、プレート、補強部）１０７を備えている。ミドルフレーム１０７は、種々の部品を支持するための支持部材である。
【００１７】
ミドルフレーム１０７は、第１の支持面１２１と、第２の支持面１２２とを有する。第１の支持面１２１は、フロント面１１５側を向いた面である。第２の支持面１２２は、バック面１１６側を向いた面であり、第１の支持面１２１の反対側に位置する。
【００１８】
本体部１０１は、ミドルフレーム１０７の第１の支持面１２１上に配置された第１の電子部品１３１ａ，１３１ｂと、ミドルフレーム１０７の第２の支持面１２２上に配置された第２の電子部品１３２ａ，１３２ｂとを備えている。これらの電子部品１３１ａ，１３１ｂ，１３２ａ，１３２ｂの例としては、半導体素子や回路素子が実装された回路基板などが挙げられる。なお、ミドルフレーム１０７の支持面１２１、１２２など、ミドルフレーム１０７の面、領域、部分、支持部上には、電子部品１３１ａ，１３１ｂ，１３２ａ，１３２ｂ以外の部品が配置されていてもよい。
【００１９】
図２に示すように、電子部品１３１ａと電子部品１３１ｂとの間で信号を送受信するために、コネクタ１３ａ，ＦＰＣ１５ａおよびコネクタ１４ａが用いられる。また、電子部品１３１ｂと、その背面に配置される電子部品１３２ｂとの間で信号を送受信するために、コネクタ１３ｂ，ＦＰＣ１５ｂおよびコネクタ１４ｂが用いられる。このように、ＦＰＣ１５ｂが屈設して用いられることもある。
【００２０】
本実施形態は、このようなＦＰＣおよびコネクタを有するテレビジョン受像機１０の組み立て作業性を向上させるものである。
【００２１】
図３は、テレビジョン受像機１０のうち、ＦＰＣ１５およびコネクタ１３，１４に関する概略構成を示すブロック図である。テレビジョン受像機１０は、電子部品１１および電子部品１２と、これら２つの電子部品１１，１２間を電気的に接続するＦＰＣ１５とを備えている。
【００２２】
電子部品１１は、例えば種々の電子デバイスが実装された基板（メイン基板、電子モジュール）であり、プリント回路基板（以下、Printed Circuit Board：ＰＣＢ、基板、電子部品、電子モジュール）１１ａと、コネクタ１３と、電子デバイス１６とを備えている。その他、ＰＣＢ１１ａ上に不図示のディスクリート部品や他の電子デバイス等が実装されていてもよい。
【００２３】
コネクタ（電子部品、電子モジュール、信号伝送モジュール、ＦＰＣ挿入モジュール）１３はＰＣＢ１１ａに固着されている。コネクタ１３内部に設けられる複数のピン（不図示）のそれぞれは、ＰＣＢ１１ａの表面に形成される導体パターンの所定の位置に、電気的に接続される。
【００２４】
ＦＰＣ（電子部品、電子モジュール、信号伝送モジュール、ケーブル）１５の一端はコネクタ１３に挿入され、ＰＣＢ１１ａに固定される。後述するように、ＦＰＣ１５は電気信号を伝送するための複数の導電層を有する。ＦＰＣ１５は、導電層のそれぞれがコネクタ１３内部のピンと接触するように、コネクタ１３に挿入される。なお、図３ではコネクタ１３が電子部品１１の中央付近に配置される例を示しているが、その位置に制限はなく、電子部品１１の端部に配置してもよいし、電子デバイス１６に近接して配置してもよい。
【００２５】
電子デバイス１６（電子部品、電子モジュール）は、例えばＬＳＩ（Large Scale Integrated Circuit）である。電子デバイス１６はＰＣＢ１１ａに固着されている。より具体的には、電子デバイス１６は、電気信号を入出力するための入出力ピン（不図示）を有し、ＰＣＢ１１ａの表面に形成される導体パターン（導電層、信号伝送部材、銅箔）の所定の位置に、例えばハンダを用いて入出力ピンが電気的に接続される。そして、電子デバイス１６の入出力ピンは、コネクタ１３およびＰＣＢ１１ａの表面に形成される導体パターンを介して、ＦＰＣ１５の導電層と電気的に接続される。電子デバイス１６は、電子部品１２と通信するデバイスであり、ＵＳＢ（Universal Serial Bus）信号等のような高速信号を含む電気信号を、コネクタ１３およびＦＰＣ１５を介して電子部品１２に送信する。
【００２６】
電子部品１２は、例えば外部機器（電子機器）とのインターフェースとなる小基板（基板、電子モジュール）であり、ＰＣＢ１２ａと、外部コネクタ１７とを備えている。その他、ＰＣＢ１２ａ上に不図示のディスクリート部品や他の電子デバイス等が実装されていてもよい。
【００２７】
コネクタ１４はＰＣＢ１２ａに固着されている。コネクタ１４内部に設けられる複数のピン（不図示）のそれぞれは、ＰＣＢ１２ａの表面に形成される導体パターンの所定の位置に、電気的に接続される。
【００２８】
ＦＰＣ１５の他端はコネクタ１４に挿入され、ＰＣＢ１２ａに固定されている。
【００２９】
外部コネクタ（コネクタ、電子部品、電子モジュール、信号伝送モジュール）１７は、ＵＳＢデバイスのような外部機器を、ケーブル（電子部品、電子モジュール、信号伝送モジュール）１８を介してテレビジョン受像機１０に接続する。外部コネクタ１７は、ＰＣＢ１２ａの表面に形成される導体パターン（不図示）を介して、コネクタ１４のピンと電気的に接続されている。これにより、外部機器は、外部コネクタ１７、コネクタ１４、ＦＰＣ１５およびコネクタ１３を介して、電子デバイス１６と、信号を送受信できる。
【００３０】
このように、テレビジョン受像機１０内で、ＦＰＣ１５は２つの電子部品１１，１２間を電気的に接続する。また、ＦＰＣ１５の一端は電子部品１１上のコネクタ１３に挿入され、他端は電子部品１２上のコネクタ１４に挿入される。
【００３１】
このテレビジョン受像機１０を製造するには、例えば（１）ＦＰＣ１５の一端をコネクタ１３に挿入し、その後、（２）ＦＰＣ１５の他端をコネクタ１４に挿入する。本実施形態は、ＦＰＣ１５に貫通部３０を形成するとともに、この貫通部３０に嵌合されるガイドピンをコネクタ１３に設けることで、（１）の工程で既に挿入したＦＰＣ１５の一端が、（２）の工程中に外れてしまうのを防止するものである。
【００３２】
図４は、一実施形態に係るＦＰＣ１５の斜視図であり、図５は、同上面図である。
【００３３】
ＦＰＣ１５は、ポリイミド等の絶縁層（絶縁部、絶縁膜、絶縁基板、ベース層）２１と、絶縁膜２１上に所定の配線パターン形状に形成される銅箔等の導電層（導電部、導電膜、信号伝送部）２２と、絶縁層２１および導電層２２を覆うポリイミド等の絶縁層（絶縁部、絶縁膜、カバー層）２３とを備えた、フィルム状の基板である。ただし、ＦＰＣ１５の両端のコネクタ挿入部（接栓部、露出部、端部）２４，２５には絶縁層２３は形成されず、導電層２２が露出している。導電層２２の露出している部分の表面は、酸化を防ぐために金メッキされていてもよい。なお、リジッド基板と異なり、絶縁層２３上に電子デバイスは実装されない。
【００３４】
図示のように、複数の導電層２２が、例えば一定の幅および一定の間隔で、互いに絶縁されて形成される。導電層２２のそれぞれは、電子部品１１上の電子デバイス１６と電子部品１２との間で電気信号を送受信する。なお、図を簡略化するために３本のみの導電層２２を描いているが、実際にはより多くの導電層２２を形成してもよい。
【００３５】
本実施形態の特徴の１つは、コネクタ挿入部２４の近傍に、１または複数の貫通部（穴、開口部、空洞部）３０が形成される点にある。図３に示すように、導電層２２は貫通部３０を避けて迂回するように形成される。そのため、貫通部３０は絶縁層２１，２３を貫通する。貫通部３０は後述するコネクタ１３のガイドピンに嵌合される。貫通部３０の形状は、ＦＰＣ１５縁側に形成される細長いスリット（穴、開口部、空洞部）３１と、ＦＰＣ１５中央側に形成される略円形の穴（開口部、空洞部）３２とが結合された、鍵穴形状である。ＦＰＣ１５の挿入方向と直交する方向において、スリット３１の幅は穴３２の直径（幅）より細い。
【００３６】
なお、図４および図５では、コネクタ挿入部２４の近傍のみに２つの貫通部３０が形成される例を示しているが、コネクタ挿入部２５の近傍にも貫通部３０が形成されてもよい。また、貫通部３０は導電層２２が露出したコネクタ挿入部２４に形成されてもよい。この場合、貫通部３０は絶縁層２１のみを貫通する。
【００３７】
ＦＰＣ１５の製造手法の一例として、例えばポリイミド上の全面に銅箔膜が形成された第１層と、ポリイミドからなる第２層とを用い、以下のようにして複数のＦＰＣ１５を同時に製造できる。まず第１層に対してエッチング処理を施し、銅箔膜を所望の形状にパターニングする。これにより、絶縁層２１上に導電層２２が形成される。次に、絶縁層２１および導電層２２のコネクタ挿入部２４，２５を除く部分に、接着剤を用いて絶縁層２３となる第２層を貼り付ける。そして、必要に応じて、導電層２２が露出した部分に金メッキを行う。さらに、第１層および第２層を切断および穿設し、貫通部３０が形成された個々のＦＰＣ１５を得る。
【００３８】
ＦＰＣ１５の外形を長方形にすることで、第１層および第２層から効率よく多数のＦＰＣ１５を形成できる。
【００３９】
図６は、一実施形態に係るコネクタ１３の斜視図であり、図７は、同上面図であり、図８は、同正面図である。コネクタ１３は、ハウジング４１と、ベース４２と、ピン４３と、２つのガイドピン５０とから構成される。
【００４０】
ハウジング（筐体、覆い部材、収納部）４１は、ＦＰＣ１５が挿入される側の前面（表面、挿入面）４１ａと、前面４１ａと対向する背面（後面、裏面、対向面）４１ｂと、側面４１ｃと、上面４１ｄと、底面４１ｅとを含む。ハウジング４１の各面は、例えばプラスティック等の絶縁材料から形成される。前面４１ａは上面４１ｄから垂設され、底面４１ｅとの間には隙間がある。この隙間はＦＰＣ１５が挿入されるための開口部（挿入部、空洞部）４１ｆである。そのため、開口部４１ｆの幅はＦＰＣ１５の幅よりわずかに広い。
【００４１】
なお、上面４１ｄが、背面４１ｂとの接線を軸として上方に回転して、開く構造であってもよい。この場合、上面４１ａが閉じた状態で固定されるよう、コネクタ１３がロック機構を有するのが望ましい。
【００４２】
また、複数のピン（導電部、信号伝送部）４３が、ハウジング４１の内部、より具体的には、上面４１ｄの内側の面に貼設される。ピン４３のそれぞれがＦＰＣ１５の導電層２２のそれぞれと接触するよう、ピン４３は導電層２２と等しい間隔で設けられる。図示しないが、ピン４３のそれぞれは、ＰＣＢ１１ａ上に形成された導体パターンの所定の位置と電気的に接続されている。
【００４３】
ベース４２は、ハウジング４１と幅が等しく、開口部４１ｆの下方でハウジング４１の底面４１ｅと接続されている。
【００４４】
ガイドピン（ガイド、ガイド部材、突起部、突出部、凸部）５０は、ＦＰＣ１５の貫通部３０に嵌合されるものである。ガイドピン５０は、ベース４２から突出する第１の突起部（突出部、凸部）５１と、第１の突起部５１から突出する第２の突起部（突出部、凸部）５２とを有する。第１の突起部５１および第２の突起部５２は略円柱形である。第１の突起部５１の中心上に第２の突起部５２の中心があるが、第１の突起部５１の断面の直径の方が大きい。なお、第１の突起部５１および第２の突起部５２が円柱形である例を図示しているが、形状に制限はない。ただし、円柱や円錐等、角を有さない形状が望ましい。
【００４５】
ＦＰＣ１５に形成される貫通部３０と同数のガイドピン５０が、ベース４２上に形成される。後述するように、少なくとも２つずつの貫通部３０およびガイドピン５０が形成されるのが望ましいが、これらの数はＦＰＣ１５の幅等に応じて適宜調節してもよい。例えば、ＦＰＣ１５の幅が細い場合には、導電層２２を形成する領域を十分確保するために、貫通部３０およびガイドピン５０を１つずつ設けてもよい。また、ＦＰＣ１５の幅が太い場合には、３つ以上の貫通部３０およびガイドピン５０を設け、より安定的にＦＰＣ１５をコネクタ１３に固定できるようにしてもよい。
【００４６】
ハウジング４１、ベース４２およびガイドピン５０を、同一材料を用いてモールド成形することで、ガイドピン５０を設けることによるコストアップを抑制できる。
【００４７】
次に、ＦＰＣ１５をコネクタ１３に挿入して固定する手順を説明する。以下の手順は、手動で行ってもよいし、挿入装置を設けて自動的に行ってもよい。
【００４８】
まず、図９に示すように、ベース４２の上方からＦＰＣ１５の貫通部３０をガイドピン５０に嵌合する。より具体的には、スリット３１のコネクタ挿入部２４側の端部を第２の突起部５２に嵌合する。このとき、スリット３１の幅より第１の突起部５１の直径が大きいため、ＦＰＣ１５は第１の突起部５１上にある。言い換えると、ＦＰＣ１５の底面はベース４２の上面と接触していない。
【００４９】
続いて、図１０に示すように、第２の突起部５２がスリット３１に入った状態で、ＦＰＣ１５をコネクタ１３のハウジング４１の奥方向にスライドさせ、コネクタ挿入部２４を開口部４１ｆからハウジング４１内に挿入する。このとき、斜めに挿入されることなく、ＦＰＣ１５の長辺がコネクタ１３の長辺と直交する適切な方向にＦＰＣ１５をスライドさせるためには、貫通部３０およびガイドピン５０が２つ以上あるのが望ましい。
【００５０】
さらに、図１１に示すように、第２の突起部５２が穴３２に入るまでＦＰＣ１５をスライドさせ、さらにＦＰＣ１５をベース４２側に押し付けて、穴３２に第１の突起部５１を嵌合する。その結果、ＦＰＣ１５の貫通部３０付近の底面がベース４２の上面に接する。これにより、ＦＰＣ１５の導電層２２がコネクタ１３のピン４３と接触した状態で、ＦＰＣ１５は安定する。
【００５１】
結果として、ＦＰＣ１５がコネクタ１３に挿嵌され、ピン４３と導電層２２とを確実に接触させることができるとともに、挿入されたＦＰＣ１５がコネクタ１３から外れるのを防止できる。
【００５２】
なお、ＦＰＣ１５のコネクタ挿入部２４側およびコネクタ挿入部２５側の両方に貫通部３０が設けられる場合は、いずれのコネクタ挿入部を先にコネクタに挿入してもよい。一方、コネクタ挿入部２４側にのみ貫通部３０が設けられる場合、先にコネクタ挿入部２４をコネクタに挿入し、その後、コネクタ挿入部２５をコネクタに挿入するのが望ましい。
【００５３】
図１２は、水平方向におけるＦＰＣ１５およびコネクタ１３の各部の寸法の一例を示す図である。ＦＰＣ１５をコネクタ１３に確実に挿入して固定するために、以下のような形状となっている。
【００５４】
スリット３１を第２の突起部５２に安定的に嵌合するため、ＦＰＣ１５の挿入方向と直交する方向における第２の突起部５２の幅は、スリット３１の幅と等しいか、わずかに大きい。より具体的には、第２の突起部５２の直径Ａは、スリット３１の幅Ａ’と等しいか、わずかに小さい。
【００５５】
また、穴３２を第１の突起部５１に安定的に嵌合するため、ＦＰＣ１５の挿入方向と直交する方向における第１の突起部５１の幅は、穴３２の直径（幅）と等しいか、わずかに小さい。より具体的には、第１の突起部５１の直径Ｂは、穴３２の直径Ｂ’と等しいか、わずかに小さい。
【００５６】
さらに、第１の突起部５１がスリット３１に入らないよう、ＦＰＣ１５の挿入方向と直交する方向における第１の突起部５１の幅は、スリット３１の幅より大きい。より具体的には、第１の突起部５１の直径Ｂは、スリット３１の幅Ａ’より大きい。
【００５７】
また、ベース４２の上方からＦＰＣ１５を挿入するため、ハウジングの４１の開口部４１ｆと第１の突起部５１との距離は、ＦＰＣ１５の端部とスリット３１の端部との距離とほぼ等しい。より具体的には、開口部４１ｆと第１の突起部５１の中心との距離Ｃは、ＦＰＣ１５の端部とスリット３１の端部との距離Ｄとほぼ等しい。
【００５８】
ＦＰＣ１５をハウジング４１の奥まで挿入したときに導電層２２とピン４３とを確実に接触させるため、ピン４３の開口部４１ｆ側の端部と開口部４１ｆとの距離は、スリット３１の端部と穴３２の距離より小さい。より具体的には、ピン４３の開口部４１ｆ側の端部と開口部４１ｆとの距離Ｅは、スリット３１の端部と穴３２の中心との距離Ｆより小さい。
【００５９】
さらに、ＦＰＣ１５をスライドさせて穴３２を第１の突起部５１に入れるため、背面４１ｂと開口部４１ｆとの距離は、スリット３１の端部と穴３２との距離以上である。より具体的には、背面４１ｂと開口部４１ｆとの距離Ｇは、スリット３１の端部と穴３２の中心との距離Ｆ以上である。
【００６０】
図１３は、垂直方向におけるＦＰＣ１５およびコネクタ１３の各部の寸法の一例を示す図である。ＦＰＣ１５をコネクタ１３に確実に挿入して固定するために、以下のような形状となっている。
【００６１】
開口部４１ｆからＦＰＣ１５を挿入するため、開口部４１ｆの高さＰは、絶縁層２１の厚さＱと等しいか、わずかに大きい。さらに、第１の突起部５１および第２の突起部５２が、穴３２およびスリット３１から外れるのをより確実に防止するためには、第１の突起部５１および第２の突起部５２の高さＲ１，Ｒ２は、ＦＰＣ１５の厚さＳ以上であるのが望ましい。
【００６２】
以上をまとめると、図１２および図１３において下記（１）〜（７）式を満たすよう、ＦＰＣ１５およびコネクタ１３を設計するのが望ましい。
Ａ≒Ａ’  ・・・（１）
Ｂ≒Ｂ’  ・・・（２）
Ａ’＜Ｂ  ・・・（３）
Ｃ≒Ｄ  ・・・（４）
Ｅ＜Ｆ≦Ｇ  ・・・（５）
Ｐ≒Ｑ  ・・・（６）
Ｓ＜Ｒ１，Ｒ２  ・・・（７）
【００６３】
このように、第１の実施形態では、ＦＰＣ１５に貫通部３０を形成するとともに、この貫通部３０に嵌合されるガイドピン３０をコネクタ１３に設ける。そのため、確実にＦＰＣ１５をコネクタ１３に挿嵌でき、結果として、ＦＰＣ１５がコネクタ１３から外れるのを防止できるとともに、ＦＰＣ１５の導電層２２とコネクタ１３のピン４３とを接触させることができる。結果として、テレビジョン受像機１０の組み立て作業性が向上する。
【００６４】
（第２の実施形態）
上述した第１の実施形態はテレビジョン受像機１０に関するものであったが、第２の実施形態はパーソナルコンピュータ１０’に関する。
【００６５】
図１４は、第２の実施形態に係るノートブック型パーソナルコンピュータ１０’の外観を示す斜視図である。図１４のパーソナルコンピュータ１０’は、第１の本体部（第１部分、第１部品収容部）２０１と、第２の本体部（第２部分、第２部品収容部）２０２とを備えている。
【００６６】
第１の本体部２０１は、第１の筐体（覆い部材、部材、組立部品、部品、支持部、補強部）２１１と、第１の筐体２１１内に収容された表示装置（表示モジュール、表示ユニット、電子部品、部品）２１２とを備えている。表示装置２１２は、第１の筐体２１１のフロント面に露出した表示画面２１２ａを有している。
【００６７】
第２の本体部２０２は、第２の筐体（覆い部材、部材、組立部品、部品、支持部、補強部）２１３と、第２の筐体２１３内に収容されたキーボード（入力部、入力受付部、受部、操作部、操作領域、インターフェース部、入力モジュール、ユニット、部品）２１４と、第２の筐体２１３のフロント面に設けられたポインティングデバイス（入力部、入力受付部、受部、操作部、操作領域、インターフェース部、入力モジュール、ユニット、部品、面、タッチセンサが機能する領域）２１５、クリックパッド（入力部、入力受付部、受部、操作部、操作領域、インターフェース部、入力モジュール、ユニット、部品、面、タッチセンサが機能する領域）２１６、および指掛け部（開口部、段差部、凹部、引っ掛け部、凸部）２１７を備えている。キーボード２１４は、第２の筐体２１３のフロント面に露出した複数のキー２１４ａを有している。
【００６８】
第２の筐体２１３は、第１から第４の端部（辺部、周部、周縁部、側部、壁、面）２２１〜２２４を有する。第１の端部（ヒンジとは反対側の端部、長手方向の端部、辺部、周部、周縁部、側部、壁、面）２２１は、指掛け部２１７が設けられた端部である。第２の端部（ヒンジ側の端部、辺部、周部、周縁部、側部、壁、面）２２２は、第１の筐体２１１と第２の筐体２１３との接続部が設けられた端部であり、第１の端部２２１の反対側に位置し、第１の端部２２１と略平行に延びている。また、第３の端部（短手方向の端部、辺部、周部、周縁部、側部、壁、面）２２３は、第１の端部２２１と第２の端部２２２とを繋ぐ端部であり、第１の端部２２１と略垂直な方向に延びている。第４の端部（短手方向の端部、辺部、周部、周縁部、側部、壁、面）２２４は、第３の端部２２３の反対側に位置し、第３の端部２２３と略平行に延びている。第４の端部２２４は、第３の端部２２３と同様、第１の端部２２１と第２の端部２２２とを繋いでいる。
【００６９】
第１および第２の端部２２１、２２２は、第２の筐体２１３の長手方向に延びる端部である。一方、第３および第４の端部２２３、２２４は、第２の筐体２１３の短手方向に延びる端部であり、第１および第２の端部２２１、２２２よりも短い。
【００７０】
第２の本体部２０２を水平面に設置し、第１の本体部２０１をユーザに近い方から遠い方に開いた場合、第１から第４の端部２２１〜２２４はそれぞれ、第２の筐体２１３の下端部、上端部、左端部、右端部となる。図１４では、第１および第２の端部２２１、２２２は、水平方向に略平行であり、第３および第４の端部２２３、２２４は、これとは垂直な方向に略平行である。
【００７１】
なお、本パーソナルコンピュータ１０’では、第２の筐体２１３は、４つの端部２２１〜２２４を有しているが、第２の筐体２１３の端部の個数は、３つ以下や５つ以上でもよい。また、第１の端部２２１と第２の端部２２２は、非平行に延びていてもよく、同様に、第３の端部２２３と第４の端部２２４は、非平行に延びていてもよい。
【００７２】
図１５は、図１４のパーソナルコンピュータ１０’の内部構造を示す斜視図である。
【００７３】
図１５に示すように、第２の筐体２１３の内部には、メイン回路基板２３１と、バッテリ２３２と、クリックボタン２３４用の回路基板２３３が収容されている。
【００７４】
メイン回路基板２３１は、ＣＰＵ（Central Processing Unit：中央演算装置）２３５などの半導体素子や回路素子が実装された回路基板である。メイン回路基板２３１は、第２の端部２２２に配置されている。なお、ファン２１８は、ＣＰＵ２３５などの半導体素子や回路素子を冷却するために使用されるため、メイン回路基板２３１と共に、第２の端部２２２に配置されている。
【００７５】
バッテリ２３２は、クリックボタン２３４用の回路基板２３３を挟んで、第１の端部２２１に配置されている。本実施形態では、第２の端部２２２側のスペースにメイン回路基板２３１を配置するため、残りの第１の端部２２１側のスペースにバッテリ２３２を配置する。
【００７６】
回路基板２３３は、クリックボタン２３４が実装された回路基板である。回路基板２３３は、第１の端部２２１に配置されている。具体的には、回路基板２３３は、垂直方向から見て、クリックパッド２１６とクリックボタン２３４が重なる位置に配置されている。
【００７７】
図１５の構成では、クリックボタン２３４の回路基板２３３とメイン回路基板２３１との間で信号を送受信するために、上述したコネクタ１３，ＦＰＣ１５およびコネクタ１４が用いられる。同図に示すように、効率よくＦＰＣ１５を引き回すために、ＦＰＣ１５を１または複数個所で折り曲げてもよい。
【００７８】
また、図１６に示すように、筐体２１３内部のメイン回路基板２３１と、筐体２１３の外部に設けられるキーボード２１４との間で信号を送受信するために、上述したコネクタ１３，ＦＰＣ１５およびコネクタ１４が用いられる。筐体２１３の開口部２１３ａからコネクタ１３を通すために、コネクタ１３が屈設して用いられる。
【００７９】
上述のＦＰＣ１５は図４および図５を用いて説明したＦＰＣであり、コネクタ１３は図６〜図８を用いて説明したコネクタである。パーソナルコンピュータ１０’においても種々の態様でＦＰＣ１５およびコネクタ１３が用いられるが、いずれの場合でも、貫通部３０とガイドピン５０とが嵌合しているため、確実にＦＰＣ１５をコネクタ１３に挿嵌できる。結果として、ＦＰＣ１５がコネクタ１３から外れるのを防止できるとともに、ＦＰＣ１５の導電層２２とコネクタのピン４３とを接触させることができる。また、ＵＳＢ信号等を高速で伝送するために、導電層２２を厚く形成して大電流を流せるようにした場合でも、上記の構造により、確実にＦＰＣ１５をコネクタ１３に挿嵌できる。よって、パーソナルコンピュータ１０’の組み立て作業性が向上する。
【００８０】
以上の第１および第２の実施形態では、テレビジョン受像機１０およびパーソナルコンピュータ１０’について説明したが、オーディオ・ビデオ機器や通信機器等、他の電子機器に上述したＦＰＣおよびコネクタを用いることもできる。
【００８１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８２】
１０  テレビジョン受像機
１１’  パーソナルコンピュータ
１１，１２  電子部品
１３，１４  コネクタ
１５  ＦＰＣ
２１，２３  絶縁層
２２  導電層
３０  貫通部
３１  スリット
３２  穴
４１  ハウジング
４１ｆ  開口部
４２  ベース
４３  ピン
５０  ガイドピン
５１  第１の突起部
５２  第２の突起部
【図１】
2013102343.tif 000003
【図２】
2013102343.tif 000004
【図３】
2013102343.tif 000005
【図４】
2013102343.tif 000006
【図５】
2013102343.tif 000007
【図６】
2013102343.tif 000008
【図７】
2013102343.tif 000009
【図８】
2013102343.tif 000010
【図９】
2013102343.tif 000011
【図１０】
2013102343.tif 000012
【図１１】
2013102343.tif 000013
【図１２】
2013102343.tif 000014
【図１３】
2013102343.tif 000015
【図１４】
2013102343.tif 000016
【図１５】
2013102343.tif 000017
【図１６】
2013102343.tif 000018